【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
２次元メディア番組スケジュールグリッドの第１部分を電子装置のタッチ画面上に表示するためのコードを生成する過程と、
第１位置でグリッドを圧縮するコマンドを受信する過程であって、コマンドを受信する過程は、タッチ画面上で第１の点および第２の点を接触する一方で、タッチ画面の接触を継続して、ユーザの接触間の距離を短縮する動作を実行するユーザに対応するユーザ入力を受信する過程を含む、過程と、
第２次元よりも第１次元で移動した比較的長い距離を含んだ第１および第２の接触間の距離を短縮する移動であるとの決定に基づき、コマンドが第１次元に沿ってグリッドを圧縮するとの決定をする過程と、
圧縮するコマンドの受信と、圧縮するコマンドが第１次元であるとの決定とに応じて、第１次元に沿って第１位置の近傍で折り畳み領域を定める視覚グラフィカル折り畳みマークを用いてグリッドを表示するための、および第１次元に沿ってグリッドを圧縮することによって利用可能となった画面の領域にグリッドの第２部分を表示するためのコードを生成する過程であって、第２部分は、画面上に予め表示されなかった、過程と、を具備し、
視覚グラフィカル折り畳みマークは、第１次元に沿ってメディア番組スケジュールグリッドの全長を延在し、画面の中または外に視覚的にプリート付けされるペーパーの折り畳み部分をグラフィカルに示すように構成されることを特徴とするコンピュータ実行方法。
【請求項２】
折り畳み領域によって隠匿される情報を示す印刷情報を、視覚グラフィカル折り畳みマークに沿って縦方向で折り畳み領域に表示するためのコードを生成する過程をさらに具備することを特徴とする請求項１に記載の方法。
【請求項３】
第１次元は、折り畳み領域によって隠匿される番組の時間期間を示す時間スケールおよび印刷情報を具備することを特徴とする請求項２に記載の方法。
【請求項４】
第１次元は、折り畳み領域によって隠匿されるチャンネルの範囲を示すチャンネルスケールおよび印刷情報を具備することを特徴とする請求項２に記載の方法。
【請求項５】
圧縮制御を表示し、その選択は、第１位置および第１次元に関連する情報を生成し、圧縮制御の選択に応答して視覚グラフィカル折り畳みマークを用いてグリッドを表示する過程をさらに具備することを特徴とする請求項１に記載の方法。
【請求項６】
圧縮制御の選択は、折り畳み領域によって隠匿されるべきチャンネル１つまたは複数の所定のグループを引起すことを特徴とする請求項５に記載の方法。
【請求項７】
圧縮制御の選択は、折り畳み領域によって隠匿されるべき所定の時間期間を引起すことを特徴とする請求項５に記載の方法。
【請求項８】
ディスプレイ装置のタッチ画面上に多次元グラフィカル情報を表示する過程と、
第１位置でグラフィカル情報を圧縮するコマンドを受信する過程であって、コマンドを受信する過程は、タッチ画面上で第１の点および第２の点を接触する一方で、タッチ画面の接触を継続して、ユーザの接触間の距離を短縮する動作を実行するユーザに対応するユーザ入力を受信する過程を含む、過程と、
第２次元よりも第１次元で移動した比較的長い距離を含んだ第１および第２の接触間の距離を短縮する移動であるとの決定に基づき、コマンドが第１次元に沿って多次元グラフィカル情報を圧縮するとの決定をする過程と、
第１次元に沿って第１位置の近傍で隠匿情報領域を定める視覚グラフィカル折り畳みマークを用いて多次元グラフィカル情報を表示する過程であって、隠匿情報領域は、もはや表示されずに隠匿される多次元グラフィカル情報の圧縮部分を示す、過程と、を具備し、
視覚グラフィカル折り畳みマークは、第１次元に沿って多次元グラフィカル情報の全長を延在し、多次元グラフィカル情報のディスプレイの中または外に視覚的にプリート付けされるペーパーの折り畳み部分をグラフィカルに示すように構成されることを特徴とするコンピュータ実行方法。
【請求項９】
視覚グラフィカル折り畳みマークは、第１位置の周りでグラフィカル情報の内部インデンテーション（indentation）を含むことを特徴とする請求項８に記載の方法。
【請求項１０】
視覚グラフィカル折り畳みマークは、第１位置の近傍でオフセット折り畳み表示を含むことを特徴とする請求項８に記載の方法。
【請求項１１】
第１位置でグラフィカル情報を圧縮するコマンドは、その位置に対向するサイド上への２点タッチ入力によって受信されることを特徴とする請求項８に記載の方法。
【請求項１２】
第１次元は、２点入力の２点を接続するラインに実質的に垂直なラインとして決定されることを特徴とする請求項８に記載の方法。
【請求項１３】
２点入力は、タッチ画面への一対の指接触後、互いに対する指接触の移動として受信されることを特徴とする請求項１２に記載の方法。
【請求項１４】
多次元グラフィカル情報は、テレビ番組グリッドを含むことを特徴とする請求項８に記載の方法。
【請求項１５】
第１次元に対して直角な第２次元に沿って第２位置でグラフィカル情報を圧縮するコマンドを受信し、第２次元に沿って第２位置の近傍で第２隠匿情報領域を定める第２視覚グラフィカル折り畳みマークを用いて多次元グラフィカル情報を表示する過程をさらに具備し、
第２隠匿情報領域は、もはや表示されずに隠匿される多次元グラフィカル情報の第２圧縮部分を示し、第２視覚グラフィカル折り畳みマークは、第２次元に沿って多次元グリッドの全長を延在し、ディスプレイの中または外に視覚的にプリート付けされるペーパーの折り畳み部分をグラフィカルに示すように構成されることを特徴とする請求項８に記載の方法。
【請求項１６】
圧縮された情報を示す第２視覚グラフィカル折り畳みマークに沿って縦方向で、隠匿情報領域で印刷情報を表示する過程をさらに具備することを特徴とする請求項８に記載の方法。
【請求項１７】
折り畳みマークは、ディスプレイの閲覧者から離れる方向に延在する領域によって圧縮情報を示すことを特徴とする請求項８に記載の方法。
【請求項１８】
メディア番組コンテンツのリクエストを受信するインタフェースと、
複数のメディア番組に対するスケジュールに関する情報を格納する番組データベースと、
ある位置に折り畳み領域を有するページのディスプレイ装置のタッチ画面上に表示を生成するためのコードを生成するよう構成されるグリッド生成器であって、折り畳み領域は、メディア番組グリッドに隠匿されたメディア番組コンテンツを含み、折り畳み領域の表示は、メディア番組グリッドの次元に沿ってメディア番組グリッドの長さを延在し、メディア番組グリッドのディスプレイの中または外に視覚的にプリート付けされるペーパーの折り畳み部分をグラフィカルに示すように構成される、グリッド生成器と、を具備し、
折り畳み領域の位置は、タッチ画面上で第１の点および第２の点を接触する一方で、タッチ画面の接触を継続して、ユーザの接触間の距離を短縮する動作を実行するユーザに対応する受信されたユーザ入力に基づき決定され、折り畳み領域が延在する次元は、第１および第２の接触間の距離を短縮する動作が第２次元よりも長く移動した距離を含むことを特徴とするメディア番組情報を生成するためのコンピュータ実行システム。
【請求項１９】
メディア番組グリッドのセルに一致する１つまたは複数のエントリを含む検索結果リストにメディア番組グリッドのディスプレイを組合せるページ生成器をさらに具備することを特徴とする請求項１８に記載のシステム。
【請求項２０】
折り畳みページの表示は、折り畳み領域の対向するエンドで定められる、内側に向けられた角度ラインによって示される１つまたは複数の折り目を具備することを特徴とする請求項１８に記載のシステム。
【請求項２１】
折り畳みページの表示は、グリッドの折り畳み領域に表示されるメディア番組グリッドに関連する情報を対象にする広告を具備することを特徴とする請求項１８に記載のシステム。
【請求項２２】
多次元情報の一部をディスプレイ装置のタッチ画面上に表示するためのコードを生成する過程であって、全情報のフル表示は、タッチ画面上に収まらない、過程と、
第１の点および第２の点間の情報の表示部分を圧縮するコマンドを受信する過程であって、コマンドを受信する過程は、タッチ画面上で第１の点および第２の点を接触するユーザに対応するユーザ入力を受信する過程を含み、タッチ画面の接触を継続して、ユーザの接触間の距離を短縮する動作を実行する、過程と、
第２次元よりも第１次元で移動した比較的長い距離を含んだユーザの接触間の距離を短縮する動作であるとの決定に基づき、コマンドが第１次元に沿って第１および第２の点間の情報の表示部分を圧縮するとの決定をする過程と、
圧縮するコマンドの受信と、コマンドが第１次元の圧縮であるとの決定とに応じて、第１次元に沿って第１の点および第２の点間の折り畳み領域を定める視覚グラフィカル折り畳みマークを用いて情報の一部を表示するためのコードを生成する過程と、を具備し、
視覚グラフィカル折り畳みマークは、タッチ画面の中または外に視覚的にプリート付けされるペーパーの折り畳み部分をグラフィカルに示すように構成されることを特徴とするコンピュータ実行方法。
【請求項２３】
視覚グラフィカル折り畳みマークを用いて情報の一部を表示する過程は、第１次元に沿って情報を圧縮することによって利用可能となるタッチ画面の領域に情報の第２部分を表示する過程さらに具備し、第２部分は、タッチ画面上に予め表示されなかったことを特徴とする請求項２２に記載の方法。
【請求項２４】
多次元情報は、地理的マッピング情報を具備することを特徴とする請求項２２に記載の方法。
【請求項２５】
多次元情報は、メディアスケジュール情報を具備することを特徴とする請求項２２に記載の方法。
【請求項２６】
第１の点および第２の点間の折り畳み領域を展開する第２コマンドを受信する過程であって、コマンドを受信する過程は、折り畳み領域を接触するユーザに対応する第２ユーザ入力を受信する過程を含む、過程と、
第２コマンドの受信に応じて、視覚グラフィカル折り畳みマークがないまま情報の一部を表示するためのコードを生成する過程と、
をさらに具備することを特徴とする請求項２２に記載の方法。
【請求項２７】
第１の点および第２の点間の折り畳み領域を展開する第２コマンドを受信する過程であって、コマンドを受信する過程は、２つの接触点で折り畳み領域を接触するユーザに対応する第２ユーザ入力を受信する一方で、タッチ画面の接触を継続して、ユーザの接触間の距離を伸張する動作を実行する、過程を含む、過程と、
第２コマンドの受信に応じて、視覚グラフィカル折り畳みマークがないまま情報の一部を表示するためのコードを生成する過程と、
をさらに具備することを特徴とする請求項２２に記載の方法。
【請求項２８】
第１次元は、第２次元に対して直角であることを特徴とする請求項２２に記載の方法。
【請求項２９】
多次元グラフィカル情報は、グラフィカルマッピング情報を具備することを特徴とする請求項８に記載の方法。